(57)【要約】      （修正有）【課題】眼鏡を装着している人がマスクを装着しても耳への負担の増大を防止でき、耳周囲の痛み・不快感の増大を防止できるマスクホルダーを提供する。【解決手段】鼻や口の人の呼吸部位を覆う通気性を有する被覆本体１０と、被覆本体の相対する側部１０ａ，１０ａに設けたゴム紐等からなる紐状の耳掛け部材１２とからなるマスク１４において、耳掛け部材１２の端部１２ａを挿通する中空孔が形成されて、その中空孔に耳掛け部材１２の端部１２ａを挿通させた状態で耳掛け部材１２を眼鏡のフレーム１８（１８ａ，１８ａ）に係止するための係止部材を設けたものである。【選択図】図１
0003136570.tif 000002
【実用新案登録請求の範囲】
【請求項１】
人の鼻や口の呼吸部位を覆う通気性を有する被覆本体と、
前記被覆本体の相対する側部に設けた紐状の耳掛け部材とからなるマスクにおいて、
前記耳掛け部材の端部を挿通する孔が形成されて、その孔に耳掛け部材端部を挿通させた状態で耳掛け部材を眼鏡のフレームに係止するための係止部材を設けたことを特徴とするマスクホルダー。
【請求項２】
係止部材は、中空孔の形成された筒状体であって中空孔内に耳掛け部材を挿通しかつ耳掛け部材途中部を絞って耳掛け部材端部に環状部を形成可能なものであり、その環状部に眼鏡フレームを通して該眼鏡フレームに耳掛け部材を保持するようにしたことを特徴とする請求項１に記載のマスクホルダー。
【請求項３】
前記係止部材は、中空孔の横断面積が耳掛け部材２本の横断面積よりも小さいものであって、柔軟性のある弾性体から形成されていることを特徴とする請求項２に記載のマスクホルダー。
【請求項４】
係止部材は、複数の貫通孔を有し柔軟性のある弾性体から形成されているものであり、１以上の貫通孔が眼鏡フレームを挿通させる眼鏡フレーム係止手段を構成し、他の貫通孔が耳掛け部材を係止する耳掛け部材係止手段を構成することを特徴とする請求項１に記載のマスクホルダー。
【請求項５】
係止部材の眼鏡フレーム係止手段は、眼鏡フレームを連続して挿通させるための、概略８の字形状を呈する２つの貫通孔が形成されたものであることを特徴とする請求項４に記載のマスクホルダー。
【請求項６】
耳掛け部材係止手段は、切り欠きの有る環状構造部であって、切り欠きを通して耳掛け部材を環状構造部に係止するものであることを特徴とする請求項４または５に記載のマスクホルダー。
【考案の詳細な説明】
【技術分野】
【０００１】
本考案は、人の鼻や口の呼吸部位を覆う通気性を有する被覆本体と、前記被覆本体の相対する側部に設けた紐状の耳掛け部材とからなるマスクを眼鏡フレームに係止・固定するマスクホルダーに関する。
【背景技術】
【０００２】
花粉対策や感冒予防などを目的として、ガーゼや不織布などの通気性のある布本体によって顔面の鼻および口を覆うマスクは、一般的に、ゴム紐などを耳に掛けて装着するタイプが殆どである。
【０００３】
この形態のマスクは、着脱が容易であるが、長時間装着していると耳に痛みを感じる場合が頻繁に見られ、その不快感からしばしばマスクを装着できないことがある。
【０００４】
さらには、眼鏡を装着している人は、眼鏡フレームを既に耳に掛けているため、さらにマスクを装着したのでは、耳への負担が増大し、耳周囲の痛み・不快感が増すという状況にある。
【０００５】
しかしながら、花粉シーズンや冬のインフルエンザシーズンでは、殆ど終日マスクを装着しなくてはならない状況にある人も多く、そのような人では、眼鏡を装着している際のマスク装着の不快感を軽減するため、頭全体に紐を回してマスクを支持するような大がかりなものを装着する場合もある。
【０００６】
なお、この種のマスクの装着の際に耳に感じる不具合を解消しようとする技術には、ゴム紐に中空の管を装着して、ゴム紐の装着長さを調整可能にしたものがある（実開昭５８−１２６８５０号：特許文献１）。ただ、この技術はあくまでもゴム紐を耳に掛ける際に、管でゴム紐長さを調整してフィット感を向上させようとするものであり、上記の眼鏡とマスクを同時に装着する際の不具合を改善できるものではない。
【０００７】
また、ゴム紐の代わりにフレームを使用してマスクを装着する技術がある（実開昭５４−６３４９５号：特許文献２）。しかしながら、この技術では、眼鏡のフレームと共にマスクのフレームも耳に掛かっているので、耳への負担の増大、耳周囲の痛み・不快感の増大を防止することができない。
【０００８】
また、マスクの紐の耳に掛かる部分に太めのチューブを通し、耳への負担を軽減する技術が提案されている（特開２００６−２２３７９２号：特許文献３、特開２００６−１５８９０５号：特許文献４、実用新案登録第３０６７４３６号：特許文献５、実用新案登録第３１１５３０２号：特許文献６）。しかしながら、いずれの技術も、ゴム紐による耳への負担軽減効果はあるが、同時に眼鏡を掛けているときの耳への負担増大の防止はできない。
【特許文献１】実開昭５８−１２６８５０号公報
【特許文献２】実開昭５４−６３４９５号公報
【特許文献３】特開２００６−２２３７９２号公報
【特許文献４】特開２００６−１５８９０５号公報
【特許文献５】実用新案登録第３０６７４３６号公報
【特許文献６】実用新案登録第３１１５３０２号公報
【考案の開示】
【考案が解決しようとする課題】
【０００９】
本考案は、上記野問題点を解消するため、眼鏡を装着している人がマスクを装着しても耳への負担の増大を防止でき、耳周囲の痛み・不快感の増大を防止できるマスクホルダーを提供しようとするものである。
【課題を解決するための手段】
【００１０】
本考案は、人の鼻や口の呼吸部位を覆う通気性を有する被覆本体と、前記被覆本体の相対する側部に設けた紐状の耳掛け部材とからなるマスクにおいて、前記耳掛け部材の端部を挿通する孔が形成されて、その孔に耳掛け部材端部を挿通させた状態で耳掛け部材を眼鏡のフレームに係止するための係止部材を設けたことを特徴とするマスクホルダーである。
【００１１】
本考案においては、係止部材を、中空孔の形成された筒状体であって中空孔内に耳掛け部材を挿通しかつ耳掛け部材途中部を絞って耳掛け部材端部に環状部を形成可能なものであり、その環状部に眼鏡フレームを通して該眼鏡フレームに耳掛け部材を保持するものにしたことが好適である。
【００１２】
また、本考案においては、前記係止部材を、中空孔の横断面積が耳掛け部材２本の横断面積よりも小さいものであって、柔軟性のある弾性体から形成したものにしたことが好適である。
【００１３】
また、本考案においては、係止部材を、複数の貫通孔を有し柔軟性のある弾性体から形成されているものであり、１以上の貫通孔が眼鏡フレームを挿通させる眼鏡フレーム係止手段を構成し、他の貫通孔が耳掛け部材を係止する耳掛け部材係止手段を構成するものとしたことが好適である。
【００１４】
また、本考案においては、係止部材の眼鏡フレーム係止手段を、眼鏡フレームを連続して挿通させるための、概略８の字形状を呈する２つの貫通孔が形成されたものとしたことが好適である。
【００１５】
また、本考案においては、耳掛け部材係止手段を、切り欠きの有る環状構造部であって、切り欠きを通して耳掛け部材を環状構造部に係止するものとしたことが好適である。
【考案の効果】
【００１６】
本考案の請求項１〜６記載のマスクホルダーにおいては、耳掛け部材の端部を挿通する孔が形成された係止部材によって、孔に耳掛け部材端部を挿通させた状態で耳掛け部材を眼鏡のフレームに係止するため、マスクの支えを耳ですることがなく、眼鏡のフレームですることができるので、耳に負担が掛かることがなく、眼鏡を装着している人がマスクを装着しても耳への負担の増大を防止でき、耳周囲の痛み・不快感の増大を防止できる。
【００１７】
本考案において、係止部材を、中空孔の形成された筒状体であって中空孔内に耳掛け部材を挿通しかつ耳掛け部材途中部を絞って耳掛け部材端部に環状部を形成可能なものとし、その環状部に眼鏡フレームを通して該眼鏡フレームに耳掛け部材を保持するようにすれば、既存のマスクのゴム紐などの耳掛け部材を係止部材の中空孔の中に挿通して、眼鏡フレームに通すのみという簡単な構成および作業でマスクを眼鏡フレームに係止でき、構造が簡単なので小型軽量化しやすく、大量生産にも向き、経費が少なくて済む。また、装着に際して、耳掛け部材端部を係止部材から引き出せば環状部を簡単に大きくでき、かつ、調整しやすいので、眼鏡フレームへの取付けが容易になり、一方、係止部材に耳掛け部材を引き込めば、眼鏡フレームに簡単に締め付け固定することができる。
【００１８】
また、前記係止部材を、中空孔の横断面積が耳掛け部材２本の横断面積よりも小さいものであって、柔軟性のある弾性体から形成されているものにすれば、弾性力および中空孔寸法の小ささから、中空孔に通した耳掛け部材が中空孔内壁面に緊密に保持されて挟持力が強くなり、耳掛け部材に対して係止部材が位置ずれしにくい。
【００１９】
なお、前記係止部材を、耳掛け部材との摩擦力が大きい滑りにくい材質の樹脂材（例えばポリエチレン等の軟質樹脂材）を選択することによって、耳掛け部材に対して係止部材が滑りにくく一層の位置ずれ防止ができる。
【００２０】
また、係止部材を、複数の貫通孔を有し柔軟性のある弾性体から形成されているものであり、１以上の貫通孔が眼鏡フレームを挿通させる眼鏡フレーム係止手段を構成し、他の貫通孔が耳掛け部材を係止する耳掛け部材係止手段を構成することにより、眼鏡フレーム係止手段が１以上の貫通孔で眼鏡フレームを挿通できるので、係止部材の弾性変形力によって眼鏡フレームに対する摩擦力を高くすることができ、眼鏡フレームに対して係止部材を強固に固定することができる。
【００２１】
この場合、係止部材の眼鏡フレーム係止手段を、眼鏡フレームを連続して挿通させるための、概略８の字形状を呈する２つの貫通孔を形成したものであれば、係止部材が眼鏡フレームに対して位置ずれ防止ができるばかりでなく姿勢も固定することができる。したがって、使用に際して係止部材がぐらつくことがないので、使用者はマスクの支持位置の頻繁な変化を感じることが無く安定し、かつ、係止部材がぐらついて顔側面部に当たる等の煩わしさを感じることない。よって、使用者は、マスク装着に安定感を感じることができるという利点がある。
【００２２】
この場合、また、係止部材の材質を眼鏡フレームとの摩擦力の大きい樹脂材（例えばエラストマまたはシリコーン）を選定することが一層好ましく、眼鏡フレームに対する摩擦力を高く設定することによって、眼鏡フレームに対して係止部材をより一層強固に固定することができ、位置ずれ防止を一層図ることができる。また、係止部材の眼鏡フレーム係止手段の貫通孔の内径を眼鏡フレームの外径に緊密に接触するように設定すれば相互の摩擦力作用を確実に発揮させることができる。
【００２３】
また、本考案において、耳掛け部材係止手段を、切り欠きの有る環状構造部であって、切り欠きを通して耳掛け部材を環状構造部に係止するものにすれば、耳掛け部材を環状構造部に挿通する際に耳掛け部材端部から差入れることなく耳掛け部材側部を切り欠きを通して挿通することができ、装着作業が容易であるので、使用者はマスクを容易に着脱でき、使い勝手がよいという優れた効果を奏し得る。
【００２４】
なお、本考案においては、眼鏡フレームにも凹凸部を形成することによって、この凹凸部に上記係止部材で形成された耳掛け部材端部の環状部または係止部材の眼鏡フレーム係止手段を係止して相互の位置ずれをさらに確実に防止することができ一層好適である。
【考案を実施するための最良の形態】
【００２５】
以下、本考案の実施の形態を添付図面を参照して説明する。
【００２６】
図１〜図６は本考案の実施形態に係るマスクホルダーの各例を示し、図７は比較例を示している。図中、同一の符号を付した部分は同一物を表わす。
【００２７】
図１は実施形態１に係るマスクホルダーによって眼鏡フレームへマスクを装着した状態の説明図、図２は図１のマスクホルダー周辺の拡大説明図、図３は実施形態２に係るマスクホルダー周辺の拡大説明図、図４は実施形態３に係るマスクホルダー周辺の拡大説明図、図５は実施形態４に係るマスクホルダー周辺の拡大説明図、図６は実施形態１に係るマスクホルダーの使用状態説明図、図７は比較例に係るマスクを直接耳に掛けた使用状態説明図である。
【００２８】
実施形態に係るマスクホルダーＡは、図１、図２に示すように、鼻や口の人の呼吸部位を覆う通気性を有する不織布やガーゼ等の布類または紙類からなる被覆本体１０と、前記被覆本体の相対する側部１０ａ，１０ａに設けたゴム紐等からなる紐状の耳掛け部材１２とからなるマスク１４において、前記耳掛け部材１２の端部１２ａを挿通する中空孔１６が形成されて、その中空孔１６に耳掛け部材１２の端部１２ａを挿通させた状態で耳掛け部材１２を眼鏡のフレーム１８（具体的には眼鏡の左右にある耳に掛けるための「つる」１８ａ，１８ａ）に係止するための係止部材（係止治具とも称する）２０を設けたものである。
【００２９】
実施形態１に係る係止部材２０は、中空孔１６の形成された筒状体である。その中空孔１６内に一方側から耳掛け部材１２の折り曲げた端部１２ａを差込んで挿通し他方側からその端部１２ａを突出させる。そして、係止部材２０は、中空孔１６内の耳掛け部材１２の途中部１２ｂを絞った状態になって耳掛け部材１２の端部１２ａに環状部（リング状部）１２ａ’を形成する。その後、その環状部１２ａ’内に眼鏡フレームのつる１８ａを通して該眼鏡フレーム１８に耳掛け部材１２を保持するものである。
【００３０】
また、前記係止部材２０は、中空孔１６の横断面積が耳掛け部材１２の２本分の横断面積よりも小さいものであって、柔軟性のある弾性体（各種プラスチック等）から形成したものにして、係止部材２０は、耳掛け部材１２を絞っている。
【００３１】
実施形態１に係るマスクホルダーにおいては、耳掛け部材１２の端部１２ａを挿通する中空孔１６が形成された係止部材２０によって、中空孔１６に耳掛け部材１２の端部１２ａを挿通させた状態で耳掛け部材１２を眼鏡のフレーム（つる１８ａ）に係止するため、マスク１４の支えを耳ですることがなく、眼鏡のフレーム１８で支えるので、耳に負担が掛かることがない。したがって、眼鏡を装着している人がマスク１４を装着しても耳への負担の増大を防止でき、耳周囲の痛み・不快感の増大を防止できる。
【００３２】
また、係止部材２０を、中空孔１６の形成された筒状体であって中空孔１６内に耳掛け部材１２を挿通しかつ耳掛け部材の途中部１２ｂを絞って耳掛け部材１２の端部１２ａに環状部１２ａ’を形成し、その環状部１２ａ’に眼鏡フレーム（つる１８ａ）を通して該眼鏡フレーム１８に耳掛け部材１２を保持するので、既存のマスクのゴム紐などの耳掛け部材１２を係止部材２０の中空孔１６の中に挿通して、眼鏡フレーム１８に通すのみという簡単な構成および作業でマスク１４を眼鏡フレーム１８に係止でき、また、構造が簡単なので小型軽量化しやすく、大量生産にも向き、経費が少なくて済む。
【００３３】
また、係止部材２０は装着に際して、耳掛け部材端部を係止部材２０から引き出せば環状部１２ａ’を簡単に大きくでき、かつ、調整しやすいので、眼鏡フレーム１８への取付けが容易にできると共に、逆方向に係止部材２０に耳掛け部材１２を引き込めば、眼鏡フレーム１８に簡単に締め付け固定することができる。
【００３４】
なお、前記係止部材２０を、中空孔１６の横断面積が耳掛け部材１２の２本分の横断面積よりも小さいものであって、柔軟性のある弾性体から形成されているものにしているので、係止部材２０自体の弾性力および中空孔１６寸法の小ささから、中空孔１６に通した耳掛け部材１２が中空孔１６内壁面に緊密に保持されて挟持力が強くなり、耳掛け部材１２に対して係止部材２０が位置ずれしにくい。
【００３５】
また、前記係止部材２０を、耳掛け部材１２との摩擦力が大きい滑りにくい材質の樹脂材（例えばポリエチレン等の軟質樹脂材）を選択して形成することによって、耳掛け部材１２に対して係止部材２０が滑りにくく一層の位置ずれ防止ができる。
【００３６】
次に、図３によって、実施形態２に係るマスクホルダーを説明する。図１〜図２と同様部分には、同一の符号を付している。
【００３７】
図３に示すように、この実施形態２に係るマスクホルダーは、係止部材２０Ａが、２つの貫通孔２２ａ，２２ｂが形成された全体が概略８の字状を呈するものであり、一方の貫通孔２２ａの形成部が眼鏡フレーム（つる１８ａ）を挿通させる眼鏡フレーム係止手段２４ａを構成し、他の貫通孔２２ｂの形成部が耳掛け部材１２を係止する耳掛け部材係止手段２４ｂを構成する。
【００３８】
実施形態２に係るマスクホルダーによれば、係止部材２０Ａが貫通孔２２ａで眼鏡フレーム１８を挿通させるので、係止部材２０Ａの材質、寸法や摩擦設定により眼鏡フレーム１８に対する摩擦力を高く設定することができ、眼鏡フレームに対して係止部材２０Ａを確実に固定することができる。この場合、係止部材２０Ａの材質を眼鏡フレーム１８との摩擦力の大きい樹脂材（例えばエラストマまたはシリコーン）を選定することによって、眼鏡フレーム１８に対する摩擦力を高く設定することができ、眼鏡フレーム１８に対して係止部材２０Ａをより一層強固に固定することができ、位置ずれ防止を一層図ることができる。また、係止部材２０Ａの眼鏡フレーム係止手段２４ａの貫通孔２２ａの内径を眼鏡フレームのつる１８ａの外径に緊密に接触するする寸法に設定すれば相互の摩擦力作用を確実に発揮させることができる。
【００３９】
次に、図４によって、実施形態３に係るマスクホルダーを説明する。図３と同様部分には同一の符号を付している。
【００４０】
図４に示すように、実施形態３に係るマスクホルダーは、係止部材２０Ｂの耳掛け部材１２を係止する耳掛け部材係止手段２４ｂ’を、上記実施形態２の耳掛け部材係止手段２４ｂと異なり、切り欠き２６を形成した環状構造部としたものである。この係止部材２０Ｂでは、切り欠き２６を通して耳掛け部材１２を環状構造部に係止する耳掛け部材係止手段２４ｂ’としたものである。その他の構成は、実施形態２と同様である。
【００４１】
実施形態３のマスクホルダーによれば、耳掛け部材係止手段２４ｂ’を、切り欠き２６の有る環状構造部であって、切り欠きを通して耳掛け部材１２を環状構造部に係止するので、耳掛け部材１２を環状構造部に挿通する際に耳掛け部材１２の端部１２ａから差入れることなく耳掛け部材側部（途中部１２ｂ）を切り欠き２６を通して挿通することができる。したがって、装着作業が容易であり、使用者はマスクを容易に着脱でき、使い勝手がよい。
【００４２】
次に、図５によって、実施形態４に係るマスクホルダーを説明する。図３および図４と同様部分には同一の符号を付している。
【００４３】
図５に示すように、実施形態４に係るマスクホルダーでは、実施形態３の係止部材２０Ｂが、一方の貫通孔２２ａの形成部が眼鏡フレーム（つる１８ａ）を挿通させる眼鏡フレーム係止手段２４ａを構成しているのとは異なり、係止部材２０Ｃが、３つの貫通孔２８ａ，２８ｂ，３２を有するものとし、２つの貫通孔２８ａ，２８ｂが眼鏡フレーム（つる１８ａ）を挿通させる眼鏡フレーム係止手段３０を構成し、他の貫通孔３２が耳掛け部材１２を係止する耳掛け部材係止手段３４を構成している。この場合、係止部材２０Ｃの眼鏡フレーム係止手段３０が、概略８の字形状を呈する２つの貫通孔２８ａ，２８ｂを形成したものであり、やや曲げて眼鏡フレーム（つる１８ａ）をその貫通孔２８ａ，２８ｂに連続して挿通させることができるようになっている。
【００４４】
したがって、眼鏡フレーム係止手段３０が２つ（１以上の例）の貫通孔２８ａ，２８ｂで眼鏡フレーム１８を挿通させるので、係止部材２０Ｃの眼鏡フレームに対する摩擦力を高くすることができ、眼鏡フレーム１８に対して係止部材２０Ｃを強固に固定することができ位置ずれが生じにくい。また、係止部材２０Ｃが眼鏡フレーム１８に対して位置ずれ防止ができるばかりでなく姿勢も固定することができる。よって、使用に際して係止部材２０Ｃがぐらつくことがないので、使用者はマスク１４の支持位置の頻繁な変化を感じることが無く安定し、かつ、係止部材２０Ｃがぐらついて顔側面部に当たる等の煩わしさを感じることない。よって、使用者は、マスク１４装着に安定感を感じ、使用感が従来品に比べて極めて良い。
【００４５】
なお、前記係止部材２０Ｃの材質を眼鏡フレーム１８との摩擦力の大きい樹脂材（例えばエラストマまたはシリコーン）を選定することによって眼鏡フレーム１８に対する摩擦力を高く設定することによって、前記眼鏡フレーム係止手段３０の貫通孔２８ａ，２８ｂの寸法が眼鏡フレーム（つる１８ａ）外径に比較して少々ずれがあっても眼鏡フレーム１８に対して係止部材２０Ｃを強固に固定することができ、位置ずれ防止を一層図ることができる。もちろん、係止部材２０Ｃの眼鏡フレーム係止手段３０の貫通孔２８ａ，２８ｂの内径を眼鏡フレームの外径に緊密に接触するように設定すれば相互の摩擦力作用を確実に発揮させることができ、一層、好ましい。
【００４６】
なお、係止部材２０ｃの耳掛け部材係止手段３４は、実施形態３の耳掛け部材係止手段２４ｂ’と同様に、貫通孔３２に切り欠き２６の有る環状構造部であるので、耳掛け部材１２の取付け固定に関して実施形態３と同様の作用効果を奏する。
【００４７】
次に、本発明を実施したマスクホルダーを従来の耳掛けマスクの比較例と比較した結果を説明する。図６は、本発明の実施形態１に係る係止部材２０のマスクホルダーＡによって使用者がマスク１４を装着した状態の説明図である。図７は、比較例としての通常のマスク１４をそのまま耳掛け紐の耳掛け部材１２で装着した状態の説明図である。
【００４８】
実施形態１と比較例を、使用者が１〜６時間装着した際に、その時間経過に応じて耳に感じる痛みなどの官能試験を表１に示す。
【表１】
0003136570.tif 000003
以上の結果のように、比較例では、時間と共に痛みが増加していく。これに対して、実施形態１では６時間という長時間装着しても痛みを感じることはなく、本発明の有用性を確認できる。
【００４９】
尚、本考案のマスクホルダーは、上記した実施の形態に限定されるものではなく、本考案の要旨を逸脱しない範囲内において種々変更を加え得ることは勿論である。
【図面の簡単な説明】
【００５０】
【図１】本考案の実施形態１に係るマスクホルダーによって眼鏡フレームへマスクを装着した状態の説明図である。
【図２】実施形態１に係る図１のマスクホルダー周辺の拡大説明図である。
【図３】実施形態２に係るマスクホルダー周辺の拡大説明図である。
【図４】実施形態３に係るマスクホルダー周辺の拡大説明図である。
【図５】実施形態４に係るマスクホルダー周辺の拡大説明図である。
【図６】実施形態１に係るマスクホルダーの使用状態説明図である。
【図７】比較例に係るマスクを直接耳に掛けた使用状態説明図である。
【符号の説明】
【００５１】
１０  被覆本体
１０ａ，１０ａ  被覆本体の側部
１２  耳掛け部材
１２ａ 耳掛け部材の端部
１２ａ’  耳掛け部材の端部の環状部
１２ｂ  見掛け部材の途中部
１４  マスク
１６  中空孔
１８  眼鏡フレーム
２０  係止部材
２０Ａ  係止部材
２０Ｂ  係止部材
２０Ｃ  係止部材
２２ａ，２２ｂ  貫通孔
２４ａ  眼鏡フレーム係止手段
２４ｂ  耳掛け部材係止手段
２４ｂ’  耳掛け部材係止手段（環状構造部）
２６  切り欠き
２８ａ，２８ｂ  眼鏡フレーム係止手段の貫通孔
３０  眼鏡フレーム係止手段
３２  耳掛け部材係止手段の貫通孔
３４  耳掛け部材係止手段（環状構造部）
Ａ  マスクホルダー
【図１】
0003136570.tif 000004
【図２】
0003136570.tif 000005
【図３】
0003136570.tif 000006
【図４】
0003136570.tif 000007
【図５】
0003136570.tif 000008
【図６】
0003136570.tif 000009
【図７】
0003136570.tif 000010